(57)【要約】      （修正有）【課題】予め成型して頭蓋骨を覆う部位に適合し、特にテリオンに適合できるプレートとして屈曲と折曲げが自由で、バリがなく整然としており、頭蓋骨の状況に応じてプレートの全面にあるいずれかの６角孔を選択して、ボルト等の固定具を挿入して容易に固定できるようにした頭蓋骨用補助プレートの提供。【解決手段】チタンその他生体適合性のある金属製プレートであって、６角孔を形成する各辺の連結片を介して、複数の６角孔をそれぞれ接続してハニカム状のプレートを設け、このプレートを用い、頭蓋骨の一部表面を覆うと共に前記６角孔の数個を利用して該プレートを頭蓋骨に固定可能とした頭蓋骨用補助プレート。【選択図】図１
0003117059.tif 000002
【実用新案登録請求の範囲】
【請求項１】
チタンその他生体適合性のある金属製プレートであって、
６角孔を形成する各辺の連結片を介して、複数の６角孔をそれぞれ接続してハニカム状のプレートを設け、
このプレートの前記６角孔を利用してボルトその他の固定具で頭蓋骨上に固定可能とした頭蓋骨用補助プレート。
【請求項２】
前頭骨、側頭骨、頭頂骨及び蝶形骨大翼のＨ字型の縫合線の集合（テリオンと称する）を覆う程度の大きさ及び形状として予め成型した請求項１記載の頭蓋骨用補助プレート。
【請求項３】
６角孔が直径約２．１ｍｍの円に外接するポリゴンからなり、連続した各辺の連結片が幅約１ｍｍとし、厚みが約０．６ｍｍである請求項１記載の頭蓋骨用補助プレート。
【請求項４】
頭蓋骨用補助プレートが、純チタン製として屈曲又は折曲げ可能な柔軟性を有するプレートである請求項１記載の頭蓋骨用補助プレート。
【請求項５】
チタンその他生体適合性のある金属製プレートであって、
６角孔を形成する各辺の連結片を介して、複数の６角孔をそれぞれ接続してハニカム状のプレートを設け、
このプレートは頭蓋骨の欠損部分を覆う大きさで頭部の形体に合わせた成型品とし、前記６角孔を利用してボルトその他の固定具で頭蓋骨上に固定可能とした頭蓋骨用補助プレート。
【考案の詳細な説明】
【技術分野】
【０００１】
本考案は頭蓋骨用補助プレートに関する。より詳しくは、外科手術により切断されるか又は外的傷害により破損された頭蓋骨の一部分を元の部位に戻して再生させる場合に用いるか、或いは頭蓋骨の欠損部分を補うため頭蓋骨の該表面を覆うようにして用いるプレートであり、特にテリオン部分に最適な補助プレートに関する。
【０００２】
テリオンは、前頭骨、側頭骨、頭頂骨及び蝶形骨大翼のＨ字型の縫合線の集合であり、眼窩の外角突起の約３ｃｍ後方に当たる部分を指す。
【背景技術】
【０００３】
頭蓋骨の形状には起伏や歪曲があり、外科手術時に切断され取出された骨を元の部位に戻す場合、骨が固定されずに落ち込む危険がある。
【０００４】
これを防止するため通常はミニプレートを使用するが、大きさが合致しない場合、骨の起伏に当接できない場合、固定手段が難しい場合等種々な困難があり、外科医の負担が大きかった。特にテリオンと称する頭蓋骨範囲では、起伏や歪曲に富んでいるので、プレートを骨に沿わせて固定するのが困難であった。
【特許文献１】特表２００２-５１０２１８号公報    頭骨における空間を覆い、かつ頭骨の形状に合致する多孔カバー  上記特許文献には、頭蓋骨網目が開示されており、４つのねじ受容開口部とそれらを接続アームにより接続して単一のサブセクションとし、菱形形状の中央開口部を設けて縦横に連続したカバーを構成している。
【考案の開示】
【考案が解決しようとする課題】
【０００５】
解決しようとする問題点は、従来の網目状のプレートやミニプレート又はメッシュでは頭蓋骨の起伏に富んだ形状や凹凸に密接できない点である。
【０００６】
又ボルトその他の固定具を挿入できる部分と全体のプレートを構成する主要部分とを別個に形成する場合、複雑な形状となり成型が難しく、外科医による固定操作及び取扱に不便であった点である。
【課題を解決するための手段】
【０００７】
本考案では上記の課題を解決するため、チタンその他生体適合性の金属製プレートとして６角孔を基本形とし、各辺を形成する細い連結片を介して複数の６角孔をそれぞれ６方向へ接続してハニカム状のプレートを成型した。
【０００８】
頭蓋骨は起伏に富み歪曲があるので、手術部分を覆うには独特な形状と柔軟性を必要とし、頭皮と頭蓋骨間に挿入されて患者に違和感を与えてはならず、また外科医にとって取扱いが容易であることを要求される。
【０００９】
特にテリオンと称される頭蓋骨部分ではこの要求が大きく、予め該部分に適合したプレートを形成するのが望まれており、本考案はこれを実現するものである。
【００１０】
第１考案はチタンその他生体適合性のある金属製プレートであって、６角孔を形成する各辺の連結片を介して、複数の６角孔をそれぞれ６方向へ接続したハニカム状のプレートとした。
【００１１】
このプレートを用い、外科手術により切断されるか又は外的傷害により破損された部分を頭蓋骨に戻し、この部分を覆うと共に前記６角孔を利用して固定具により該プレートを頭蓋骨に固定するようにした頭蓋骨用補助プレートである。
【００１２】
第２考案では、前頭骨、側頭骨、頭頂骨及び蝶形骨大翼のＨ字型の縫合線の集合（テリオンと称する）を覆う程度の大きさ及び頭蓋骨形状に適合するよう成型した頭蓋骨用補助プレートである。
【００１３】
第３考案では、６角孔が直径約２．１ｍｍの円に外接するポリゴンからなり、連続した各辺の連結片が幅約１ｍｍとし、厚みが約０．６ｍｍである頭蓋骨用補助プレートとした。  
【００１４】
第４考案として、頭蓋骨用補助プレートが、純チタン製として屈曲又は折曲げ可能な柔軟性を有するプレートであるチタンその他生体適合性のある金属製プレートとした。
【００１５】
第５考案として、６角孔を形成する各辺の連結片を介して、複数の６角孔をそれぞれ接続してハニカム状のプレートを設け、このプレートは頭蓋骨の欠損部分を覆う大きさで頭部の形体に合わせた成型品とし、前記６角孔を利用してボルトその他の固定具で頭蓋骨上に固定可能とした頭蓋骨用補助プレートとした。
（作用）
【００１６】
第１考案では、複数の６角孔をそれぞれ６方向へ接続してハニカム状のプレートを構成しているので、頭蓋骨の切断部分に合致した横方向及び縦方向の形状と大きさに予め設定して成型することができる。
【００１７】
６角孔はそれぞれ正６角形とし、横方向では複数個の６角孔が水平方向に整列し、縦方向ではそれぞれ３０度角で拡がったハニカム状のプレートが形成されており、端縁部にバリが生じたり、異形となったりすることなく取扱いが安全である。また３０度の角度で折り曲げ易くなっている。
【００１８】
またチタン等の材質により柔軟性があるのでプレートを構成する６角孔のそれぞれが細い連結部から折曲げることができ、中央部を折曲げて屈曲したプレートとするか、端縁部を頭蓋骨に合わせて屈曲したり、折曲げて術部に適合させることができる。
【００１９】
第２考案では、テリオンと称する頭蓋骨部分に適合するよう予め大きさ及び形状を設定して成型することにより、手術時に直ちに利用できるようにした。予め成型されているので、手術時にプレートを切断する必要がなく、端縁部にバリや歪を生じないようになっている。
【００２０】
このプレートでは、左右の頭蓋骨テリオン部分に適合するよう予め左用のプレートと右用のプレートを成型しておく。またそれぞれプレートの中央部の折曲線から約４０度角に折り曲げておくと便利である。
【００２１】
第３考案では、６角孔の大きさ、形体及び厚みを設定することにより、全体して術部を覆うことができ、これら６角孔がボルト等の固定具を挿入できる孔として利用できるので頭蓋骨の状況に応じて固定部を自由に選択できるようになった。
【００２２】
約０．５ｇの軽量であり、骨の形状に合致するよう屈曲したり、折曲げることができ、頭皮と頭蓋骨間に挿入しても頭部の形態に異常を来すこともない。
【００２３】
第４考案としては、純チタン製として屈曲又は折曲げ可能な柔軟性を有する材質とした。
【００２４】
第５考案では、６角孔を形成する各辺の連結片を介して、複数の６角孔をそれぞれ接続してハニカム状のプレートを設け、このプレートを用い頭蓋骨の欠損部分を覆うよう頭部の形体に合わせた成型品とした。周縁の６角孔に固定具を挿入して固定し易くなっており、外観上も自然な頭蓋骨形状に合わせて成型できるようにした。
【考案の効果】
【００２５】
本考案では、６角孔を基本としたので、横方向及び縦方向に連続したハニカム状のプレートとして屈曲又は折曲げが自在であり、予め頭蓋骨の復元部分に適合した形状に設定して成型でき、特にテリオン部分のプレートとして好適なテリオンプレートを提供できた。
【００２６】
予め成型することによりプレートの端縁部にバリや異形がなく取扱いに安全なプレートとして、患者及び外科医の負担を軽くすることができる。外部からの障害により、頭蓋骨に欠損部分が生じた場合にも外部を覆うプレートを予め成型することにより固定が容易で、外観上も自然な頭蓋骨の形体に復元可能である。
【００２７】
６角孔が縦横に連続しているので、頭蓋骨上に固定する場合、この孔を利用して頭蓋骨の状況に応じてボルトその他の固定具を容易に挿入し固定作業が円滑に行われるようになった。
【考案を実施するための最良の形態】
【００２８】
外科手術により切断されるか又は外的傷害により破損された頭蓋骨の一部分を元の部位に戻して再生させる場合に用いるか、或いは頭蓋骨の欠損部分を補うため頭蓋骨の該表面を覆うようにして用いるプレートであり、特にテリオン部分に最適な補助プレートに関する。
【００２９】
６角孔を基本とし、横方向及び縦方向に連続したハニカム状のプレートとして屈曲又は折曲げが自在であり、予め頭蓋骨の復元部分に適合した形状に設定して成型し、特にテリオン部分のプレートとして好適なテリオンプレートを提供した。
【実施例１】
【００３０】
以下、本考案の実施例を説明する。
図１は、本考案頭蓋骨用補助プレートの平面図で、１は６角孔、２は連結片、３は端縁部、４はチタンその他生体適合性のある金属製のプレートである。
【００３１】
テリオンに最適なテリオンプレートとして図１に示すのは右側用に成型したものである。左半分は折曲線５より約４０度の角度で下方へ折曲げられている。横幅５６．４ｍｍ、高さ１８．７ｍｍとし、眼窩の上方から斜め下方に沿って頭蓋骨に取付けられるようになっている。
【００３２】
６角孔１は横方向に連結片２を介して整列して配置され、６角孔を形成する各辺の細い連結片２を介して複数の６角孔がそれぞれ３０度角で接続されたハニカム状のプレート４を成型している。
図２はプレート４の側面図である。
【実施例２】
【００３３】
図３はテリオンプレートとして左側用に成型されたプレートである。図４は右半分が約４０度角で折り曲げられている状態を示している。
【実施例３】
【００３４】
図５ではプレート４の端縁部３を屈曲した屈曲部６を示す側面図である。
図６はプレートの原型を示す平面図である。
【００３５】
図７は６角孔１を基本として縦横に連続して形成されたプレートの一部拡大図であり、直径２．１ｍｍの円７に外接するポリゴン（正６角形）を形成し、幅約１ｍｍの連結片により、横方向に整列すると共にそれぞれ３０度角で連続して接続されたハニカム状のプレートを示している。
【００３６】
図８は頭蓋骨の説明図であり、８は前頭骨、９は側頭骨、１０は頭頂骨及び１１蝶形骨大翼のＨ字型の縫合線を示し、この部分をテリオン(一点鎖線)１３と称している。
【００３７】
図９はこのテリオン１３に本考案頭蓋骨用補助プレート４を固定した説明図である。１４はボルト等の固定具で、６角孔１を利用してテリオンにプレートを固定する場合、頭蓋骨の状況に応じていずれの６角孔を選択してもよく、固定操作を一段と容易にした。
【００３８】
従って、ボルト等の固定具を挿入するための特別な開口部を別途設ける必要がなく、プレートの全面で固定し易い部位を自由に選択できるようになった。
【実施例４】
【００３９】
図１０に示した例は、外的傷害により頭蓋骨の一部が欠損した場合に、本考案のプレートを用いて外部を覆うことのできるプレートである。
【産業上の利用可能性】
【００４０】
本考案は頭蓋骨用の補助プレートであり、チタンなどの生体適合性のある金属製プレートとして、特にテリオン部に最適なプレートが提供されるので、プレートの製造販売の他、外科手術に有用なプレートとして患者及び外科医の負担を軽減する医療材として活用できる。
【図面の簡単な説明】
【００４１】
【図１】本考案プレートで、右側面用プレートの平面図。
【図２】同側面図。
【図３】本考案プレートで、右側面用プレートの平面図。
【図４】同側面図である。
【図５】端縁部に屈曲部を設けた場合を示す側面図。
【図６】プレートの原型を示す平面図。
【図７】同プレートの一部を拡大して示した説明図。
【図８】頭蓋骨の説明図で、テリオンと称される部分を示す斜視図。
【図９】テリオン部に本考案プレートを固定した状態の説明図。
【図１０】頭蓋骨の欠損部分を覆うプレートの説明図。
【符号の説明】
【００４２】
１：  ６角孔
２：  連結片
３：  端縁部
４：  プレート
５：  折曲線
６：  屈曲部
１３：  テリオン
１４：  固定具
１５：  他実施例を示すプレート
【図１】
0003117059.tif 000003
【図２】
0003117059.tif 000004
【図３】
0003117059.tif 000005
【図４】
0003117059.tif 000006
【図５】
0003117059.tif 000007
【図６】
0003117059.tif 000008
【図７】
0003117059.tif 000009
【図８】
0003117059.tif 000010
【図９】
0003117059.tif 000011
【図１０】
0003117059.tif 000012